(57)【要約】【課題】封止部材の挿入力を小さくでき、しかも、コネクタハウジングを単一部品より構成できるコネクタを提供する。【解決手段】端子収容室３と封止部材収容室４とを有するコネクタハウジング２と、封止部材収容室４の後端の開口より挿入され、封止部材収容室４に収容された封止部材１０と、封止部材収容室４の後端の開口より挿入され、封止部材１０を貫通して端子収容室３に収容された端子２０と、コネクタハウジング２に一体に設けられ、端子収容室３に突出して端子２０に係止するランス６と、コネクタハウジング２に一体に設けられ、封止部材収容室４の後端の開口から見てランス６とは異なる位置で封止部材収容室４に突出し、封止部材１０の係止溝１２に係止する係止突起部７とを備えた。【選択図】図１
2020174015.tif 000002
【特許請求の範囲】
【請求項１】
端子収容室と前記端子収容室に連通する封止部材収容室とを有し、前記端子収容室の前端と前記封止部材収容室の後端がそれぞれ開口されたコネクタハウジングと、
前記封止部材収容室の後端の開口より挿入され、前記封止部材収容室に収容された封止部材と、
前記封止部材収容室の後端の開口より挿入され、前記封止部材を貫通して前記端子収容室に収容された端子と、
前記コネクタハウジングに一体に設けられ、前記端子収容室に突出して前記端子に係止するランスと、
前記コネクタハウジングに一体に設けられ、前記封止部材収容室の後端の開口から見て前記ランスとは異なる位置で前記封止部材収容室に突出し、前記封止部材の係止溝に係止する係止突起部とを備えたことを特徴とするコネクタ。
【請求項２】
請求項１記載のコネクタであって、
前記封止部材の前記係止溝は、全周に亘って形成されていることを特徴とするコネクタ。
【発明の詳細な説明】
【技術分野】
【０００１】
本発明は、コネクタハウジング内への水等の浸入を防止する封止部材を有するコネクタに関する。
【背景技術】
【０００２】
従来のコネクタ（特許文献１参照）が図５に示されている。図５において、コネクタ５０は、コネクタハウジング５１と、電線Ｗ及び封止部材６０が装着された端子７０とを備えている。
【０００３】
コネクタハウジング５１は、端子収容室５２ａを有する前部ハウジング部５２と、封止部材収容室５３ａを有する後部ハウジング部５３とから構成されている。端子収容室５２ａと封止部材収容室５３ａは、互いに連続し、端子収容室５２ａの前端と封止部材収容室５３ａの後端は、それぞれ外部に開口している。前部ハウジング部５２には、端子収容室５２ａに突出するランス５５が一体に設けられている。後部ハウジング部５３には、封止部材収容室５３ａに突出する係止突起部５６が一体に設けられている。係止突起部５６は、封止部材収容室５３ａの内周面の全周に亘って配置されている。
【０００４】
端子７０は、端子収容室５２ａに収容されている。端子収容室５２ａに収容された端子７０は、ランス５５に係止されている。これにより、端子７０の抜け止めがなされている。端子７０に接続された電線Ｗは、コネクタハウジング５１の封止部材収容室５３ａの後端の開口より外部に導き出されている。
【０００５】
封止部材６０は、端子７０に接続された電線Ｗの外周に装着されている。封止部材６０は、コネクタハウジング５１の封止部材収容室５３ａに収容されている。封止部材６０の外周面には、係止溝６１が形成されている。係止溝６１は、封止部材６０の全外周に亘って設けられている。係止溝６１にコネクタハウジング５１の係止突起部５６が係止されている。これにより、封止部材６０の抜け止めがなされている。
【０００６】
封止部材６０により、コネクタハウジング５１の後面側からコネクタハウジング５１の端子収容室５２ａに水等が入り込むのを防止している。
【先行技術文献】
【特許文献】
【０００７】
【特許文献１】特開２０１５−１５６２７８号公報
【発明の概要】
【発明が解決しようとする課題】
【０００８】
しかしながら、コネクタハウジング５１の封止部材収容室５３ａには、全周に亘って係止突起部５６が設けられているため、封止部材６０を封止部材収容室５３ａの挿入する際の挿入力が大きい。
【０００９】
又、封止部材収容室５３ａの後端の開口から見て、係止突起部５６とランス５５が重複位置に位置するために、コネクタハウジング５１は、ランス５５を一体に設ける前部ハウジング部５２と係止突起部５６を一体に設ける後部ハウジング部５３とに分割して設ける必要がある。そのため、コネクタハウジング５１が２分割部品となる。
【００１０】
そこで、本発明は、前記した課題を解決すべくなされたものであり、封止部材の挿入力を小さくでき、しかも、コネクタハウジングを単一部品より構成できるコネクタを提供することを目的とする。
【課題を解決するための手段】
【００１１】
本発明は、端子収容室と前記端子収容室に連通する封止部材収容室とを有し、前記端子収容室の前端と前記封止部材収容室の後端がそれぞれ開口されたコネクタハウジングと、
前記封止部材収容室の後端の開口より挿入され、前記封止部材収容室に収容された封止部材と、
前記封止部材収容室の後端の開口より挿入され、前記封止部材を貫通して前記端子収容室に収容された端子と、
前記コネクタハウジングに一体に設けられ、前記端子収容室に突出して前記端子に係止するランスと、
前記コネクタハウジングに一体に設けられ、前記封止部材収容室の後端の開口から見て前記ランスとは異なる位置で前記封止部材収容室に突出し、前記封止部材の係止溝に係止する係止突起部とを備えたことを特徴とするコネクタである。
【発明の効果】
【００１２】
本発明によれば、封止部材の挿入力を小さくでき、しかも、コネクタハウジングを単一部品より構成できる。
【図面の簡単な説明】
【００１３】
【図１】本発明の一実施形態を示し、（ａ）はコネクタの断面図、（ｂ）は（ａ）のＡ部拡大図である。
【図２】本発明の一実施形態を示し、図１のＢ−Ｂ線断面図である。
【図３】本発明の一実施形態を示し、後面側から見たコネクタハウジングの斜視図である。
【図４】本発明の一実施形態の変形例に係る封止部材の斜視図である。
【図５】従来例を示し、コネクタの断面図である。
【図６】従来例を示し、図５の要部拡大断面図である。
【発明を実施するための形態】
【００１４】
以下、本発明の実施形態を図面に基づいて説明する。
【００１５】
図１〜図３は、本発明の一実施形態を示す。尚、図２では、左側の封止部材収容室４に封止部材１０及び電線Ｗが収容され、右側の封止部材収容室４に封止部材１０及び電線Ｗが収容されていない状態を示している。
【００１６】
コネクタ１は、コネクタハウジング２と、封止部材１０と、電線Ｗが接続された端子２０とを備えている。コネクタハウジング２は、単一構成部品である。コネクタハウジング２は、端子収容室３と端子収容室３の後端に連通する封止部材収容室４とからなる孔を２組有している（図２参照）。コネクタハウジング２の端子収容室３の前端と封止部材収容室４の後端はそれぞれ外部に開口している。尚、本明細書では、相手コネクタが嵌合される側をコネクタハウジング２の前面とし、電線Ｗが引き出される側をコネクタハウジング２の後面とする。
【００１７】
相手コネクタ（図示せず）は、コネクタハウジング２の前面側から嵌合される。コネクタ嵌合状態では、相手コネクタの雄端子（図示せず）が端子収容室３の前端の開口より挿入して端子２０に電気的に接続される。
【００１８】
コネクタハウジング２には、各端子収容室３に突出するランス６が一体に設けられている。コネクタハウジング２には、各封止部材収容室４の後端部に突出する係止突起部７が設けられている。各封止部材収容室４の係止突起部７は、封止部材収容室４の内周面に間隔を置いて３箇所設けられている。端子収容室３に突出するランス６と３箇所の係止突起部７は、封止部材収容室４の後端の開口から見て（又は、端子収容室３の前端の開口から見て）、異なる位置、換言すれば、シフトした位置に配置されている（図１（ａ）参照）。つまり、コネクタハウジング２を金型成形する場合に、前後方向を型抜き方向とすることによってランス６と３箇所の係止突起部７とを同時に成形可能に形成されている。
【００１９】
封止部材１０は、弾性変形可能なゴム製である。封止部材１０は、中心に電線貫通孔１１が形成された大略円筒形状である。封止部材１０の外周面の後端部には、係止溝１２が設けられている。係止溝１２は、封止部材１０の外周面の全周に亘って設けられている。係止溝１２には、コネクタハウジング２の３箇所の係止突起部７が係止されている。これにより、封止部材１０の抜け止めがなされている。
【００２０】
電線Ｗが接続された端子２０は、雌型の端子である。端子２０は、コネクタハウジング２の封止部材収容室４の後端の開口より挿入され、封止部材１０の電線貫通孔１１を貫通して端子収容室３に収容されている。端子収容室３に収容された端子２０は、ランス６に係止されている。これにより、端子２０の抜け止めがなされている。
【００２１】
端子２０に接続された電線Ｗは、電線貫通孔１１内に密着収容されている。密着収容された電線Ｗがコネクタハウジング２の封止部材収容室４の後端の開口より外部に導き出されている。封止部材１０は、その外周面が封止部材収容室４の内周面に密着し、電線貫通孔１１の内周面が電線Ｗの外周に密着し、コネクタハウジング２の後面側からコネクタハウジング２の端子収容室３に水等が入り込むのを防止している。
【００２２】
次に、コネクタ１の組付け作業を説明する。コネクタハウジング２の封止部材収容室４の後端の開口より、封止部材１０を挿入する。封止部材１０は、その係止溝１２に３箇所の係止突起部７が係止する位置まで挿入する。これで、封止部材が封止部材収容室４に収容される。
【００２３】
次に、コネクタハウジング２の封止部材収容室４の後端の開口より、電線Ｗが接続された端子２０を挿入する。端子２０は、封止部材１０の電線貫通孔１１を貫通し、ランス６に係止される位置まで挿入する。これで、端子２０が端子収容室３に収容される。
【００２４】
このように、２組の封止部材１０と電線Ｗが接続された端子２０とを収容すれば、コネクタ１の組付けが完了する。
【００２５】
以上説明したように、コネクタ１は、端子収容室３と端子収容室３に連通する封止部材収容室４とを有し、端子収容室３の前端と封止部材収容室４の後端がそれぞれ開口されたコネクタハウジング２と、封止部材収容室４の後端の開口より挿入され、封止部材収容室４に収容された封止部材１０と、封止部材収容室４の後端の開口より挿入され、封止部材１０を貫通して端子収容室３に収容された端子２０と、コネクタハウジング２に一体に設けられ、端子収容室３に突出して端子２０に係止するランス６と、コネクタハウジング２に一体に設けられ、封止部材収容室４の後端の開口から見てランス６とは異なる位置で封止部材収容室４に突出し、封止部材１０の係止溝１２に係止する係止突起部７とを備えている。
【００２６】
従って、封止部材１０を封止部材収容室４に挿入する際に、封止部材１０の外周面が３箇所の係止突起部７に摺動しつつ挿入されるため、封止部材収容室４の内周面の全周に亘って係止突起部が突出している場合に較べて、挿入抵抗が低い。又、ランス６と３箇所の係止突起部７は、封止部材収容室４の後端の開口から見て、異なる位置に配置されているため、この実施形態のように、コネクタハウジング２の成形を金型前後抜きの単純な金型成形によって一体部品として成形できる。以上より、コネクタ１は、封止部材１０の挿入力を小さくでき、しかも、コネクタハウジング２を単一部品より構成できる。
【００２７】
尚、封止部材１０に係止突起部７を設けた場合には、コネクタハウジング２には封止部材収容室４より窪む係止溝１２を設ける必要がある。しかし、封止部材収容室４より窪む係止溝１２の射出成形は、コネクタハウジング２の金型前後抜きの単純な金型成形で成形できない。
【００２８】
封止部材１０の係止溝１２は、全周に亘って形成されている。従って、封止部材１０の回転方向の向きがどの方向でも封止部材収容室４に適正に挿入でき、挿入作業性が良い。
【００２９】
図４は、変形例の封止部材１０Ａである。変形例の封止部材１０Ａには、外周面の周方向の３箇所に間隔を置いて係止溝１２が形成されている。封止部材１０Ａは、３箇所の係止溝１２にコネクタハウジング２の各係止突起部７が係止されることによって、封止部材１０Ａの抜け止めがなされる。
【００３０】
前記実施形態では、係止突起部７が封止部材収容室４の内周面の３箇所に突出しているが、１箇所でも、２箇所でも、４箇所でも、これより多くても良い。
【００３１】
前記実施形態では、端子２０と封止部材１０は、コネクタハウジング２内にそれぞれ個々に挿入される構成である。しかし、本発明は、従来例のように、端子２０に封止部材１０が予め装着され、端子２０と封止部材１０の一体品をコネクタハウジング２内に挿入するものであっても適用可能である。
【符号の説明】
【００３２】
１  コネクタ
２  コネクタハウジング
３  端子収容室
４  封止部材収容室
６  ランス
７  係止突起部
１０  封止部材
１２  係止溝
２０  端子
【図１】
2020174015.tif 000003
【図２】
2020174015.tif 000004
【図３】
2020174015.tif 000005
【図４】
2020174015.tif 000006
【図５】
2020174015.tif 000007
【図６】
2020174015.tif 000008